(57)【要約】【課題】  使用時の外観を変更でき、使い勝手の良い手帳カバーおよびカードホルダーカバーを提供する。【解決手段】  カバー本体部と、上記カバー本体部の左右両側部に設けられた差込用袋部を有し、上記差込用袋部に手帳の表表紙と裏表紙をそれぞれ差し込んで使用する手帳カバーおよびカードホルダーカバーであって、上記差込用袋部は上記カバー本体部の表面側および裏面側にそれぞれ設けられている構成とする。【選択図】  図１
0003171637.tif 000002
【実用新案登録請求の範囲】
【請求項１】
カバー本体部と、上記カバー本体部の左右両側部に設けられた差込用袋部を有し、上記差込用袋部に手帳の表表紙と裏表紙をそれぞれ差し込んで使用する手帳カバーであって、上記差込用袋部は上記カバー本体部の表面側および裏面側にそれぞれ設けられていることを特徴とする手帳カバー。
【請求項２】
上記カバー本体部および上記差込用袋部の表面部および裏面部は異なる素材により形成されていることを特徴とする請求項１に記載の手帳カバー。
【請求項３】
上記カバー本体部および上記差込用袋部の表面部および裏面部には異なる模様が施されていることを特徴とする請求項１または２に記載の手帳カバー。
【請求項４】
上記カバー本体部および上記差込用袋部の表面部および裏面部は同一の素材により形成されているとともに、同一の模様が施されていることを特徴とする請求項１に記載の手帳カバー。
【請求項５】
上記カバー本体部の左右両側部に補強部材が内装されていることを特徴とする請求項１〜４のいずれか１項に記載の手帳カバー。
【請求項６】
上記カバー本体部の端部に筆記用具保持部が設けられていることを特徴とする請求項１〜５のいずれか１項に記載の手帳カバー。
【請求項７】
カバー本体部と、上記カバー本体部の左右両側部に設けられた差込用袋部を有し、上記差込用袋部にカードホルダーの表表紙と裏表紙をそれぞれ差し込んで使用するカードホルダーカバーであって、上記差込用袋部は上記カバー本体部の表面側および裏面側にそれぞれ設けられていることを特徴とするカードホルダーカバー。
【考案の詳細な説明】
【技術分野】
【０００１】
本考案は、手帳カバーおよびカードホルダーカバーに係り、特に、カード類や紙片類を収納することが可能な手帳カバーおよびカードホルダーカバーに関する。
【背景技術】
【０００２】
一般に、手帳カバーはその左右両側部に差込用袋部が設けられており、上記差込用袋部に手帳の表表紙と裏表紙がそれぞれ差し込まれて使用される。
さらに、カード類や紙片類を収納するためのポケット部が手帳カバーの外側に設けられた手帳カバーが知られている。（特許文献１）
【０００３】
しかしながら、ひとつの手帳が長期間にわたって使用されることは多く、その間に、手帳カバーの外側に汚れが付着するなどして外観が損なわれる場合や、手帳カバー使用時の外観に飽きてしまう場合がある。
【０００４】
上記のような場合には、手帳カバーを交換しなければならないという不具合があった。
【０００５】
また、特許文献２に開示されたリバーシブルブックカバーを手帳カバーとして用いた場合、上記の不具合は解消される。
【０００６】
しかしながら、上記の場合、手帳の表表紙と裏表紙のいずれか一方のみを差込用袋部に差し込んで使用することとなり、手帳が手帳カバーから外れやすく、かえって使い勝手が悪くなるという問題があった。
【０００７】
また、カード類を複数収納することができるカードホルダーのカバーにも、上記の手帳カバーと同様の不具合があり、上記不具合を解決する要請があった。
本考案はその要請に応えるものである。
【特許文献１】特開平１０−８６５５２号公報
【特許文献２】特開平９−２１６４７９号公報
【考案の開示】
【考案が解決しようとする課題】
【０００８】
そこで、本考案の課題は、使用時の外観を変更でき、使い勝手の良い手帳カバーおよびカードホルダーカバーを提供することにある。
【課題を解決するための手段】
【０００９】
上記課題を達成するため、請求項１の考案に係る手帳カバーは、カバー本体部と、上記カバー本体部の左右両側部に設けられた差込用袋部を有し、上記差込用袋部に手帳の表表紙と裏表紙をそれぞれ差し込んで使用する手帳カバーであって、上記差込用袋部は上記カバー本体部の表面側および裏面側にそれぞれ設けられていることを特徴とする。
【００１０】
したがって、上記手帳カバーの上記表面側と上記裏面側のどちらを内側にしても、手帳の表表紙と裏表紙をそれぞれ上記差込用袋部に差し込んで使用することができる。
また、上記手帳カバーに手帳を収納して使用する際、上記手帳カバーの外側に配置された上記差込用袋部に、カード類や紙片類を収納することができる。
【００１１】
請求項２の考案に係る手帳カバーは、上記カバー本体部および上記差込用袋部の表面部および裏面部は異なる素材により形成されていることを特徴とする。
【００１２】
したがって、上記手帳カバーに手帳を収納して使用する際、使用者が上記表面部および上記裏面部のどちらの素材を手帳カバーの外側とするかを選択することができる。
【００１３】
請求項３の考案に係る手帳カバーは、上記カバー本体部および上記差込用袋部の表面部および裏面部には異なる模様が施されていることを特徴とする。
【００１４】
したがって、上記手帳カバーに手帳を収納して使用する際、使用者が上記表面部および上記裏面部のどちらの模様を手帳カバーの外側とするかを選択することができる。
【００１５】
請求項４の考案に係る手帳カバーは、上記カバー本体部および上記差込用袋部の表面部および裏面部は同一の素材により形成されているとともに、同一の模様が施されていることを特徴とする。
【００１６】
したがって、上記手帳カバーに手帳を収納して使用する際、上記表面部および上記裏面部のどちらを外側にしても同一の素材および模様からなる外観とすることができる。
【００１７】
請求項５の考案に係る手帳カバーは、上記カバー本体部の左右両側部に補強部材が内装されていることを特徴とする。
【００１８】
したがって、上記カバー本体部の左右両側部が補強されている。
【００１９】
請求項６の考案に係る手帳カバーは、上記カバー本体部の端部に筆記用具保持部が設けられていることを特徴とする。
【００２０】
したがって、ボールペン等の筆記用具を手帳とともに保持することができる。
【００２１】
請求項７の考案に係るカードホルダーカバーは、カバー本体部と、上記カバー本体部の左右両側部に設けられた差込用袋部を有し、上記差込用袋部にカードホルダーの表表紙と裏表紙をそれぞれ差し込んで使用するカードホルダーカバーであって、上記差込用袋部は上記カバー本体部の表面側および裏面側にそれぞれ設けられていることを特徴とする
【００２２】
したがって、上記カードホルダーカバーの上記表面側と上記裏面側のどちらを内側にしても、カードホルダーの表表紙と裏表紙をそれぞれ上記差込用袋部に差し込んで使用することができる。
また、上記カードホルダーカバーにカードホルダーを収納して使用する際、上記カードホルダーカバーの外側に配置された上記差込用袋部に、カード類や紙片類を収納することができる。
【考案の効果】
【００２３】
請求項１に記載の考案に係る手帳カバーは、差込用袋部がカバー本体部の表面側および裏面側のそれぞれの左右両側部に設けられていることから、従来とは異なり、上記手帳カバーは上記表面部と上記裏面部のどちらを内側にしても、手帳の表表紙と裏表紙をそれぞれ上記差込用袋部に差し込んで使用することができる。
【００２４】
その結果、手帳カバーの外側に汚れが付着するなどして外観が損なわれた場合、従来のように、手帳カバーを交換しなければならないということはなく、上記表面部と上記裏面部のうち、外側として使用していた面部を内側にして使用すれば、汚れ等が付着していない面部が外側に露出することになり、きれいな外観に変更することができる。
【００２５】
また、上記手帳カバーに手帳を収納して使用する際、上記手帳カバーの外側に露出した上記差込用袋部に、カード類や紙片類を収納することができる。その結果、カード類や紙片類を手帳とともに持ち運ぶことができ、使用者にとって使い勝手が良い。
【００２６】
また、上記表面部および上記裏面部のどちらを内側にして使用しても、手帳の表表紙と裏表紙がともに上記差込用袋部に差し込まれた状態で使用できる。その結果、上記表面部および上記裏面部のどちらを内側にしても、手帳が上記手帳カバーから容易に外れてしまうおそれはない。
【００２７】
請求項２に記載の考案に係る手帳カバーは、上記表面部および上記裏面部は異なる素材により形成されており、上記手帳カバーに手帳を収納して使用する際、使用者が上記表面部および上記裏面部のどちらの素材を手帳カバーの外側とするかを選択することができる。
【００２８】
その結果、上記手帳カバー使用時の外側の素材を変更することが可能となり、手帳カバー使用時の外観に飽きてしまった場合、手帳カバーを交換することなく、手帳カバー使用時の外観を変更することができる。
【００２９】
請求項３に記載の考案に係る手帳カバーは、上記表面部および上記裏面部は異なる模様により形成されており、上記手帳カバーに手帳を収納して使用する際、使用者が上記表面部および上記裏面部のどちらの素材を上記手帳カバーの外側とするかを選択することができる。
【００３０】
その結果、上記手帳カバー使用時の外側の模様を変更することが可能となり、上記手帳カバー使用時の外観に飽きてしまった場合、上記手帳カバーを交換することなく、上記手帳カバー使用時の外観を変更することができる。
【００３１】
請求項４の考案に係る手帳カバーは、上記カバー本体部および上記差込用袋部の表面部および裏面部は同一の素材により形成されているとともに、同一の模様が施されており、上記表面部および上記裏面部のどちらを外側にしても同一の素材および模様からなる外観とすることができる。
その結果、手帳カバーの外側に汚れが付着するなどして外観が損なわれた場合、内側にしていた面部を外側にして使用することにより、上記手帳カバーを交換することなく、手帳カバーの外側に汚れ等のない使用開始時と同一の素材および模様からなる外観に変更することができる。
【００３２】
請求項５に記載の考案に係る手帳カバーは、上記カバー本体部の左右両側部に補強部材が内装されており、上記カバー本体部の左右両側部が補強されている。その結果、上記手帳カバーおよび手帳の表紙が変形することを防ぐことができる。
【００３３】
請求項６の考案に係る手帳カバーは、上記カバー本体部の端部に筆記用具保持部が設けられており、ボールペン等の筆記用具を手帳とともに保持することができる。その結果、ボールペン等の筆記用具を手帳とともに持ち運ぶことができ、使用者にとって使い勝手が良い。
【００３４】
請求項７の考案に係るカードホルダーカバーは、差込用袋部がカバー本体部の表面側および裏面側のそれぞれの左右両側部に設けられていることから、従来とは異なり、上記カードホルダーカバーは上記表面部と上記裏面部のどちらを内側にしても、カードホルダーの表表紙と裏表紙をそれぞれ上記差込用袋部に差し込んで使用することができる。
【００３５】
その結果、カードホルダーカバーの外側に汚れが付着するなどして外観が損なわれた場合、従来のように、カードホルダーカバーを交換しなければならないということはなく、上記表面部と上記裏面部のうち、外側として使用していた面部を内側にして使用すれば、汚れ等が付着していない面部が外側に露出することになり、きれいな外観に変更することができる。
【００３６】
また、上記カードホルダーカバーにカードホルダーを収納して使用する際、上記カードホルダーカバーの外側に露出した上記差込用袋部に、カード類や紙片類を収納することができる。その結果、カード類や紙片類を手帳とともに持ち運ぶことができ、使用者にとって使い勝手が良い。
【００３７】
また、上記表面部および上記裏面部のどちらを内側にして使用しても、カードホルダーの表表紙と裏表紙がともに上記差込用袋部に差し込まれた状態で使用できる。その結果、上記表面部および上記裏面部のどちらを内側にしても、カードホルダーが上記カードホルダーカバーから容易に外れてしまうおそれはない。
【図面の簡単な説明】
【００３８】
【図１】本考案に係る手帳カバーの第一の実施の形態における手帳カバーの表面側を示す平面図である。
【図２】本考案に係る手帳カバーの第一の実施の形態における手帳カバーの表裏面側を示す平面図である。
【図３】本考案に係る手帳カバーの第一の実施の形態における図１に示す手帳カバーの3−3線断面図である。
【図４】本考案に係るカードホルダーカバーの第二の実施の形態におけるカードホルダーカバーに、カードホルダーを装着した状態を示す斜視図である。
【考案を実施するための最良の形態】
【００３９】
以下、添付図面に示す第一の実施の形態に基づき、本考案を詳細に説明する。
【００４０】
図１に示すように、本実施の形態に係る手帳カバー１０は平面横長長方形に形成されており、手帳カバー１０の表面側Ａは、カバー本体部１１と、カバー本体部１１を長さ方向に三等分した両側部の幅方向全域にわたって設けられた差込用袋部１２、１３により構成されている。
【００４１】
カバー本体部１１および差込用袋部１２、１３はいずれも長方形であり、差込用袋部１２、１３は、それぞれの三辺がカバー本体部１１の周縁部と重なり合うように配置され、差込用袋部１２、１３の周縁部とカバー本体部１１の周縁部とがそれぞれ重なり合う部分は縫合されている。
【００４２】
したがって、差込用袋部１２および１３の周縁部のうち、カバー本体部１１と縫合されていない部分がたがいに対向して開口する状態となり、手帳の表表紙と裏表紙をそれぞれ差し込んで使用することができる。
【００４３】
図２に示すように、本実施の形態に係る手帳カバー１０の裏面側Ｂは、カバー本体部１１と、カバー本体部１１を長さ方向に三等分した両側部の幅方向全域にわたって設けられた差込用袋部１４、１５により構成されている。
【００４４】
差込用袋部１４、１５はいずれも長方形であり、差込用袋部１４、１５は、それぞれの三辺がカバー本体部１１の周縁部と重なり合うように配置され、差込用袋部１４、１５の周縁部とカバー本体部１１の周縁部とが重なり合った部分は縫合されている。
【００４５】
したがって、差込用袋部１４および１５の周縁部のうち、カバー本体部１１と縫合されていない部分がたがいに対向して開口する状態となり、手帳の表表紙と裏表紙をそれぞれ差し込んで使用することができる。
【００４６】
カバー本体部１１および差込用袋部１２、１３の表面部１６ａ、１６ｂ、１６ｃは布材により形成され、また、カバー本体部１１および差込用袋部１４、１５の裏面部１７ａ、１７ｂ、１７ｃは合成皮革材により形成されている。
【００４７】
また、図１に示すように、表面部１６ａ、１６ｂ、１６ｃにはストライプ柄が施されており、図２に示すように、裏面部１７ａ、１７ｂ、１７ｃにはドット柄が施されている。
【００４８】
図３に示すように、カバー本体部１１の長さ方向の両側部には幅方向全域にわたって、板状の厚紙で形成された補強部材１８、１９がそれぞれ内装されている。
【００４９】
図１に示すように、カバー本体部１１の短辺部の一端縁に筆記用具保持部２０が設けられている。
【００５０】
以下、本実施の形態に係る手帳カバー１０の作用について説明する。
【００５１】
手帳カバー１０の裏面側Ｂを外側として使用する際には手帳の表表紙および裏表紙を差込用袋部１２、１３にそれぞれ差し込んで使用する。このとき、カバー本体部１１はカバー本体部１１の長辺部中央付近で折り返され、外側に配置される差込用袋部１４、１５にはカード類や紙片類を収納することができる。
【００５２】
また、手帳カバー１０の表面側Ａを外側として使用する際には、手帳の表表紙および裏表紙を差込用袋部１４、１５にそれぞれ差し込んで使用する。このとき、カバー本体部１１はカバー本体部１１の長辺部中央付近で折り返され、外側に配置される差込用袋部１２、１３にはカード類や紙片類を収納することができる。
【００５３】
手帳カバー１０の表面側Ａの差込用袋部１２、１３および裏面側Ｂの差込用袋部１４、１５はいずれも、カバー本体部１１を長さ方向に三等分した両側部の幅方向全域にわたって設けられ、使用時には手帳の表表紙または裏表紙を広く覆うことから、手帳カバー１０から手帳が外れにくい。
【００５４】
表面部１６ａ、１６ｂ、１６ｃおよび裏面部１７ａ、１７ｂ、１７ｃの素材が異なることにより、手帳カバー１０の使用時の外観を変化させることができる。
【００５５】
また、表面部１６ａ、１６ｂ、１６ｃおよび裏面部１７ａ、１７ｂ、１７ｃの模様が異なることにより、手帳カバー１０の使用時の外観を変化させることができる。
【００５６】
カバー本体部１１の長さ方向の両側部に補強部材１８、１９が内装されることにより、手帳カバー１０および手帳の表紙が変形することを防ぐことができる。
【００５７】
筆記用具保持部２０が設けられることにより、ボールペン等の筆記用具を手帳とともに持ち運ぶことができる。
【００５８】
なお、本実施の形態では、表面部１６ａ、１６ｂ、１６ｃに布材、裏面部１７ａ、１７ｂ、１７ｃに合成皮革材を用いたが、表面部１６ａ、１６ｂ、１６ｃおよび裏面部１７ａ、１７ｂ、１７ｃに、用いる素材の組み合わせは上記組み合わせに限定されず、適宜変更可能である。
【００５９】
また、本実施の形態では、表面部１６ａ、１６ｂ、１６ｃにストライプ柄、裏面部１７ａ、１７ｂ、１７ｃにドット柄を施したが、表面部１６ａ、１６ｂ、１６ｃおよび裏面部１７ａ、１７ｂ、１７ｃに施す模様の組み合わせは上記組み合わせに限定されず、適宜変更可能である。
【００６０】
本実施の形態では、表面部１６ａ、１６ｂ、１６ｃおよび裏面部１７ａ、１７ｂ、１７ｃは、異なる素材および異なる模様により構成されているが、表面部１６ａ、１６ｂ、１６ｃおよび裏面部１７ａ、１７ｂ、１７ｃが同一の素材および模様から構成される場合であっても、表面部１６ａ、１６ｂ、１６ｃおよび裏面部１７ａ、１７ｂ、１７ｃに異なる色を施すことにより、手帳カバー１０の使用時の外観を変化させることが可能である。
【００６１】
また、本実施の形態では、補強部材１８、１９に厚紙を用いたが、手帳カバー１０および手帳の表紙の変形を防ぐことができる材質であればよく、適宜変更可能である。
【００６２】
以下、添付図面に示す第二の実施の形態に基づき、本考案を詳細に説明する。
【００６３】
本実施の形態に係るカードホルダーカバー３０は、筆記用具保持部が設けられていない点を除き、上記実施例１における手帳カバー１０と同様の構成である。
【００６４】
図４に示すように、カードホルダーカバー３０の表面側Ｃを外側にして使用する際には、裏面側Ｄの両側部に設けられた差込用袋部３１、３２に、カードホルダー４０の表表紙４１および裏表紙４２をそれぞれ差し込んで使用する。
【００６５】
また、カードホルダーカバー３０は、筆記用具保持部が設けられていない点を除いて手帳カバー１０と同様の構成であり、手帳カバー１０と同様の作用および効果を奏するものである。
【００６６】
なお、手帳カバー１０およびカードホルダーカバー３０は、手帳やカードホルダーに限らず本等のカバーとしても用いることができる。
【産業上の利用可能性】
【００６７】
本考案は、手帳やカードホルダーのカバーおよび本等のカバーに適用可能である。
【符号の説明】
【００６８】
Ａ      表面側
Ｂ      裏面側
１０    手帳カバー
１１    カバー本体部
１２    差込用袋部
１３    差込用袋部
１４    差込用袋部
１５    差込用袋部
１６ａ  表面部
１６ｂ  表面部
１６ｃ  表面部
１７ａ  裏面部
１７ｂ  裏面部
１７ｃ  裏面部
１８    補強部材
１９    補強部材
２０    筆記用具保持部
Ｃ      表面側
Ｄ      裏面側
３０    カードホルダーカバー
３１    差込用袋部
３２    差込用袋部
４０    カードホルダー
４１    表表紙
４２    裏表紙
【図１】
0003171637.tif 000003
【図２】
0003171637.tif 000004
【図３】
0003171637.tif 000005
【図４】
0003171637.tif 000006